(57)【要約】      （修正有）【課題】全部品について特定の化学物質の含有量が知られていない場合でも、蓄積データから、データの無い部品における特定化学物質の含有量を正確に推定する。【解決手段】記憶部２０は、製品情報と部品情報が記録された製品ＢＯＭテーブル２１０と、部品のクラステーブル２２０と、部品のプロパティテーブル２３０と、部品の特性を記録した部品登録テーブル２４０と、部品が含有する化学物質を記録した含化学物質登録テーブル２５０と、作業登録テーブル２６０を有し、化学物質含有率算出部を有する処理部３０は、前記クラステーブル２２０から作成されたクラスツリーと、前記プロパティテーブル２３０から作成されたプロパティ欄とから条件を絞り込むための第１のマトリクスを作成し、かつ、前記クラスツリーの選択された所定のクラスと、前記プロパティ欄の選択された所定のプロパティに応じて、関連する部品における所定の化学物質含有率分布を表示する。【選択図】図１
2010262574.tif 000002
【特許請求の範囲】
【請求項１】
入力部と記憶部と処理部と出力部を有する化学物質含有量推計システムであって、
前記記憶部は、製品情報と部品情報が記録された製品ＢＯＭテーブルと、部品のクラステーブルと、部品のプロパティテーブルと、部品の特性を記録した部品登録テーブルと、部品が含有する化学物質を記録した含化学物質登録テーブルと、
作業登録テーブルを有し、
前記処理部は、化学物質含有率算出部を有し、
前記処理部は、前記クラステーブルから作成されたクラスツリーと、前記プロパティテーブルから作成されたプロパティ欄とから条件を絞り込むための第１のマトリクスを作成し、
前記処理部は、前記クラスツリーの選択された所定のクラスと、前記プロパティ欄の選択された所定のプロパティに応じて、関連する部品における所定の化学物質含有率分布を表示する第２のマトリクスを作成することを特徴とする化学物質含有量推計システム。
【請求項２】
化学物質含有率分布の表示は平均値、ピーク値、最大値、最小値、分布確率の何れかを表示することが出来ることを特徴とする請求項１に記載の、化学物質含有量推計システム。
【請求項３】
入力部と記憶部と処理部と出力部を有する化学物質含有量推計システムであって、
前記記憶部は、製品情報と部品情報が記録された製品ＢＯＭテーブルと、部品のクラステーブルと、部品のプロパティテーブルと、部品の特性を記録した部品登録テーブルと、部品が含有する化学物質を記録した含化学物質登録テーブルと、
作業登録テーブルを有し、
前記処理部は、化学物質含有率算出部を有し、
前記入力部には製品メーカ名と製品型番と所定の化学物質が入力データとして入力され、
前記処理部は、前記入力データと前記製品ＢＯＭテーブルとを比較して、前記所定の化学物質のデータを有する部品と、有しない部品とに分け、
前記所定の化学物質のデータを有しない部品に対しては、
前記クラステーブルから作成されたクラスツリーと、前記プロパティテーブルから作成されたプロパティ欄とから条件を絞り込むための第１のマトリクスを作成する手段と、
前記クラスツリーの選択された所定のクラスと、前記プロパティ欄の選択された所定のプロパティに応じて、関連する部品における所定の化学物質含有率分布を表示する第２のマトリクスを作成する手段を有し、
前記所定の化学物質のデータを有しない部品の、前記第２のマトリクスによって推定された化学物質量と前記所定の化学物質のデータを有する部品を加えて製品における所定の化学物質量を推定し、
前記出力手段に表示することを特徴とする化学物質含有量推計システム。
【発明の詳細な説明】
【技術分野】
【０００１】
本発明は、製品の開発出荷に際して、サプライヤより情報入手が出来ていない部品等に関して、類似部品の化学物質含有量入手済データを用いて分布情報を得ることで、製品の有する化学物質を正確に推定するシステムに関するものである。
【背景技術】
【０００２】
環境負荷となる化学物質に対する規制は厳しくなっており、国によっては、製品における所定の化学物質の含有量を届け出ることを義務付けることが行なわれようとしている。このような規制は、年々厳しくなる方向であり、製品における所定の化学物質がわからない状態では、その製品を売ることが出来なくなるという事態も予想される。
【０００３】
各企業内で開発出荷する製品の化学物質含有率（または含有量）を管理する方法においては、「特許文献１」に記載されている方法がある。この方法は、企業が扱う製品の部品表に従って、製品を構成する各部品の化学物質含有量から、製品に含有する化学物質量を集計し、法規制等で定められた閾値と比較し、当該製品が規制に対応しているかどうかを判定する方法である。
【先行技術文献】
【特許文献】
【０００４】
【特許文献１】特開２００５−７１３３８号公報
【発明の概要】
【発明が解決しようとする課題】
【０００５】
製品ごとに、規制において求められる化学物質含有量を把握しておく必要があるが、製品における各部品毎の化学物質の情報入手がはかどらない事が想定される。しかしながら、規制されている化学物質の量が把握できていなければ、その製品は販売できない場合も想定される。
【０００６】
本発明は、部品における特定の化学物質情報が全て入手できていない場合であっても、その部品における特定の化学物質の量を正確にかつ迅速に推定できる手段を実現することである。
【課題を解決するための手段】
【０００７】
上記課題を解決するために、本発明におけるシステムは、入力部と、記憶部と、処理部と、出力部を有する。記憶部は、製品ＢＯＭテーブル、クラステーブル、プロパティテーブル、部品登録テーブル、含有化学物質登録テーブル、作業登録テーブルを有している。なお、ＢＯＭ（Ｂｉｌｌ  ｏｆ  Ｍａｔｅｒｉａｌ）は製品と製品が有する部品表が蓄積されたものである。また、処理部は、化学物質含有率算出部を有している。
【０００８】
本発明では、記憶部のデータを使用して、部品登録情報の属性としてクラス情報とプロパティ情報を作成し、入手蓄積済のデータより化学物質含有の類似性が高い属性の組み合わせの選択をサポートすることを特徴とする。
【０００９】
また、本発明は選択した組み合わせの範囲で、含有化学物質量の推計をサポートすることを特徴とする。
【００１０】
また、推計された部品ごとの含有化学物質情報より、詳細調査の必要な部品の優先順位付けをサポートすることを特徴とする。
【発明の効果】
【００１１】
本発明によれば、製品において、特定の化学物質の情報が入手できない部品が存在する場合であっても、該部品の該特定の化学物質を正確に推定することができるので、特定の化学物質の量がわからないために、製品を販売することが出来ないという事態を回避することが出来る。
【００１２】
また、本発明によれば、情報が入手できていない部品の含有化学物質量を容易に、かつ、正確に推定することが出来る。
【００１３】
また、本発明によれば、情報が入手できていない部品を含む構成の製品全体の含有化学物質量の推計を容易にかつ、正確に行なうことができる。
【００１４】
また、本発明によれば、情報が入手できていない部品の優先順位が高いものから詳細調査に着手でき、規制影響範囲の調査工数の削減を行なうことが出来る。
【図面の簡単な説明】
【００１５】
【図１】化学物質含有量推計システムの構成を示した説明図である。
【図２】全体処理フローを示した説明図である。
【図３】データなし部品の化学物質含有率の推定処理フローを示した説明図である。
【図４】初期画面例を示した説明図である。
【図５】データなし部品の一覧表示画面例を示した説明図である。
【図６】部品構成情報の表示画面例を示した説明図である。
【図７】選択部品の化学物質含有率分布の表示画面例を示した説明図である。
【図８】選択部品詳細情報表示画面例を示した説明図である。
【図９】指定製品全体情報表示画面例を示した説明図である。
【図１０】製品BOMテーブルのデータ構成例を示した説明図である。
【図１１】クラステーブルのデータ構成例を示した説明図である。
【図１２】プロパティテーブルのデータ構成例を示した説明図である。
【図１３】固定磁器コンデンサ登録テーブルのデータ構成例を示した説明図である。
【図１４】固定電解コンデンサ登録テーブルのデータ構成例を示した説明図である。
【図１５】含有化学物質登録テーブルのデータ構成例を示した説明図である。
【図１６】作業登録テーブルのデータ構成例を示した説明図である。
【発明を実施するための形態】
【００１６】
以下、実施例に基づいて本発明の内容を詳細に説明する。
【実施例１】
【００１７】
図１は、本発明の１実施例である化学物質含有量推計システムの構成を示した説明図である。化学物質含有量推計システムは、入力部(10)と、記憶部(20)と、処理部(30)と、出力部(40)から構成される。
【００１８】
化学物質含有量推計システムは、Ｃ Ｐ Ｕ 、メモリ、Ｈ Ｄ Ｄ などからなる汎用のコンピュータにより実現可能である。上記の各機能部は、Ｃ Ｐ Ｕ がプログラムを実行することにより達成される。
【００１９】
入力部(10)は、操作者から入力を受け付けるため装置である。例えば、キーボード、マウス、Ｃ Ｄ − Ｒ Ｏ Ｍ 装置、フロッピー（登録商標） ディスクドライブ装置、Ｕ Ｓ Ｂ ポートなどのほか、ネットワークを介して入力データを入手する場合は、ネットワーク回線より情報を取得する装置が該当する。
【００２０】
記憶部(20)は、入力データ、出力データ、または計算途中の処理部(30)より出力された情報を格納する。
【００２１】
処理部(30)は、記憶部(20)のデータに基づいて化学物質含有率を計算する。出力部(40)は、出力データを出力するための装置である。例えば、ディスプレイ装置、Ｃ Ｄ− Ｒ Ｏ Ｍ 装置、フロッピーディスクドライブ装置、Ｕ Ｓ Ｂ ポートの他、入力部(10)と同様にネットワークを介して出力データを出力する場合は、ネットワーク回線に情報を出力する装置が該当する。
【００２２】
記憶部(20)にはあらかじめ入力部(10)より、製品BOMテーブル(210)、クラステーブル(220)、プロパティテーブル(230)、部品登録テーブル(240)、含有化学物質登録テーブル(250)を格納する。処理部(30)は化学物質含有率算出部(310)を有している。
【００２３】
図１０は、製品BOMテーブル(210)のデータ構成例を示した図であり、製品メーカ名、製品型番、部品メーカ名、部品型番、員数より構成される。
【００２４】
図１１は、クラステーブル(220)のデータ構成例を示した図であり、階層レベル、親クラスラベル、クラスラベル、最終フラグより構成される。
【００２５】
図１２は、プロパティテーブル(230)のデータ構成例を示した図であり、クラスラベル、プロパティラベルより構成される。
【００２６】
図１３は、固定磁器コンデンサ登録テーブルのデータ構成例を示した図であり、部品メーカ名、部品型番、シリーズ名称、定格電圧、定格静電容量、温度特性、許容誤差より構成される。
【００２７】
図１４は、固定電解コンデンサ登録テーブルのデータ構成例を示した図であり、部品メーカ名、部品型番、シリーズ名称、定格電圧、定格静電容量、温度特性、極性、寿命グレードより構成される。
【００２８】
例えば図１３や図１４のような各部品の登録テーブルがまとまったものが部品登録テーブル(240)である。
【００２９】
図１５は、含有化学物質登録テーブル(250)のデータ構成例を示した図であり、部品メーカ名、部品型番、部品質量（部品の重さ）、物質A、物質Bより構成される。
【００３０】
図１６は、作業登録テーブル(260)のデータ構成例を示した図であり、部品メーカ名、部品型番、員数、部品質量、化学物質量、化学物質含有率、推定、推定方法、標準偏差より構成される。
【００３１】
図２は、化学物質含有量推計システムの全体処理フローを示した説明図である。図４は、初期画面を示した説明図であり、製品メーカ名、製品型番、化学物質の選択欄より構成される。ユーザより化学物質含有量推計システムの実行指示を受け、化学物質含有量推計システムは図４に示す初期画面を表示する。
【００３２】
ユーザは評価したい製品メーカ名（4-11)、製品型番（4-12)、化学物質（4-13)を初期画面(図４)で指示する（2-1)。ここでは製品メーカ名として”Ｘ社”、製品型番として”Ｘ１”、化学物質として”物質Ａ”を指示した場合を例に説明する。
【００３３】
化学物質含有率算出部(310)は製品BOMテーブル(210)を先頭より読み出し（2-2）、ユーザより指示された製品メーカ名（4-11）と製品型番（4-12）が共に製品BOMテーブル(210)の製品メーカ名（10-1）と製品型番（10-2）に一致するかを判定する（2-3）。言い換えればユーザより指示された製品メーカ名（4-11）と製品型番（4-12）が製品BOMテーブル(210)に存在するか否かを検索する。
【００３４】
一致しなかった場合は、次のデータ処理に移り、全ての製品BOMテーブル(210)について実施する（2-4)。一致した場合は、製品BOMテーブル(210)の部品メーカ名（10-3)、部品型番（10-4)、員数（10-5)を作業登録テーブル(260)の部品メーカ名（16-1）、部品型番（16-2）、員数（16-3）に格納する（2-5）。
【００３５】
製品メーカ名（4-11）と製品型番（4-12）が製品BOMテーブル(210)に存在した場合、含有化学物質登録テーブル(250)を先頭より読み出す（2-6）。そして、製品BOMテーブル(210)の部品メーカ名（10-3）と部品型番（10-4）が共に一致するかを判定する（2-7）。
【００３６】
一致しなかった場合は次のデータ処理に移り、全ての含有化学物質登録テーブル(250)について実施する（2-8)。
【００３７】
全ての含有化学物質登録テーブル(250)について実施をし、製品BOMテーブル(210)より読み出した部品メーカ名（10-3)と部品型番（10-4)が共に全ての含有化学物質登録テーブル(250)と一致しなかった場合は、作業登録テーブル(260)の化学物質量（16-5)にデータなしを示す”null”を格納する（2-9)。
【００３８】
一致した場合には、含有化学物質登録テーブル(250)の部品質量（15-3)を作業登録テーブル(260)の部品質量（16-4)に格納する（2-10)。
【００３９】
ユーザより初期画面(図４)で指示された化学物質の情報、ここでは物質A（15-4)、が含有化学物質登録テーブル(250)に登録されていれば（2-11)、ここでは”null”でなければ、含有化学物質登録テーブル(250)のユーザより初期画面(図４)で指示された化学物質の情報を作業登録テーブル(260) の化学物質量（16-5)に格納し、化学物質含有率（16-6)を算出し格納し、推定（16-7)欄に”NO”を格納する（2-12)、登録されていなければ、ここでは”null”であれば、作業登録テーブル(260)の化学物質（16-5)欄にデータなしを示す”null”を格納する（2-9)。
【００４０】
次の製品BOMテーブル(210)のデータ処理に移り、全ての製品BOMテーブル(210)について実施する（2-4）。
【００４１】
全ての製品BOMテーブル(210)に対する処理が完了した後、作業登録テーブル(260)の化学物質量（16-5）にデータなしを示す”null”が存在しない場合は（2-13）、製品を構成する全ての部品のデータが入手済みである場合である。作業登録テーブル(260)の全ての部品質量（16-4)の合計と、作業登録テーブル(260)の全ての化学物質量（16-5)の合計と、作業登録テーブル(260)の全ての化学物質含有率（16-6)と、作業登録テーブル(260)の推定欄（16-7)に一つでも”YES”があれば”YES”を、さもなければ”NO”と算出する（2-15)。算出した結果と、作業登録テーブル(260)のデータを出力部(40)に出力する（2-16）。
【００４２】
図９は指定製品全体情報表示画面の例であり、ユーザより指示された製品メーカ名、製品型番、化学物質につづき、各部品ごとの部品メーカ名、部品型番、員数、部品質量、化学物質量、化学物質含有率、推定、推定方法、標準偏差と、製品全体の部品質量、化学物質量、化学物質含有率、推定を表形式で表示する。なお、製品全体の部品質量、化学物質量、化学物質含有率は図９の表における合計の欄に対応するものである。
【００４３】
表示結果は項目ごとにソートし直して表示することを可能として、化学物質量や化学物質含有率が多いもの、あるいは標準偏差が大きいものといった把握を容易にする。
【００４４】
データなしフラグが存在した場合（2-13)は、データなし部品の化学物質含有率の推定処理を実施する（2-14)。図３は、データなし部品の化学物質含有率の推定処理フローを示した説明図である。
【００４５】
システムは、作業登録テーブル(260)の化学物質量（16-5）が”null”のデータなしを示すものを全て抽出し、データなし部品の一覧として表示する（3-1）。なお、ユーザーが図４の画面において、製品メーカ名、製品型番、化学物質等を入力すると、システムは、上記の動作を自動的に行い、データなし部品が存在する場合は、図５の画面が自動的に表示される。
【００４６】
図５は、データなし部品の一覧表示画面の例であり、ユーザより指示された製品メーカ名、製品型番、化学物質につづき、各部品ごとの選択ラジオボタン、部品メーカ名、部品型番、員数、部品質量、推定化学物質量を表形式で表示する。推定化学物質量（5-19)は初期値としては”null”を表示する。
【００４７】
ユーザはデータなし部品の一覧表示画面(図５)より、化学物質含有率を最初に推定したい部品を指示する（3-2)。今回は先頭の部品メーカ名”A社”、部品型番”A210”を選択指示したものとする。
【００４８】
図６は部品構成情報の表示画面の例であり、クラスツリーとプロパティ欄より構成される。化学物質含有率算出部(310)はクラステーブル(220)を読み出し、クラスツリーの構成情報を入手し部品構成情報の表示画面(図６)にクラスツリーとして表示する（3-3)。
【００４９】
クラステーブル(220)はクラステーブルのデータ構成(図１１)のように構成される。階層レベル（11-1)はディレクトリ構造の深さを示す。親クラスラベル（11-2)は該当クラスの一つ上位階層のクラスラベル名称を示す。クラスラベル（11-3)は該当クラス自身のクラスラベル名称を示す。最終フラグ（11-4)は”TRUE”である場合には該当クラスがツリー構造の最下位階層であることを示し、”null”である場合には該当クラスには下位階層のクラスラベルが存在することを、すなわち該当クラスのクラスラベル（11-3)の内容がテーブル内のいずれかの親クラスラベル（11-2)に登録されていることを示す。
【００５０】
部品構成情報の表示画面(図６)のクラスツリーの最上位には部品登録情報(先頭)という表示をする。階層レベル（11-1)は”１”が最上位であり、クラスツリー表示では部品登録情報(先頭)の直下に位置する。最終フラグ（11-4)が”null”の場合には、クラステーブル全体の親クラスラベル（11-2)と該当クラスラベルの内容が一致するものをサーチし、一致した全てのクラスラベルを該当クラスツリーの直下に表示する。この表示処理をクラスツリーの最下位階層のクラスの最終フラグ（11-4）が”TRUE”となるまで繰り返し、クラスツリーの全体表示構成を得る。
【００５１】
この際、階層レベルごとのツリー表示とし、下位階層の表示/非表示のユーザからの指示を可能とし、表示されたクラスに関しては該当クラスを選択する選択ボタンを持つ。言い換えれば、図６のクラスツリーにおいて、＋あるいは−のボタンをおすことによって、該当階層よりも下位の階層を表示するか否かを指定することが出来る。
【００５２】
例えば、クラスツリーの表示展開の初期状態は今回ユーザより化学物質含有率の推定を指示された部品と同一の最下位クラスを最上位クラスから、ここでは部品登録情報(先頭)、電気電子部品、コンデンサ、固定コンデンサ、固定電解コンデンサ、を表示展開し、他のクラスは非表示(折りたたみ状態)とするとわかりやすい。
【００５３】
同様に例えば、選択ボタンの初期選択状態としては先の例で表示展開された最下位クラス、ここでは固定電解コンデンサ、が選択されているのがわかりやすい。
【００５４】
化学物質含有率算出部(310)はプロパティテーブル(230)を読み出し、プロパティ欄の情報を入手し部品構成情報の表示画面(図６)にプロパティ欄として表示する（3-4）。すなわち、図１２のプロパティテーブルから図６のプロパティ欄を作成する。
【００５５】
プロパティテーブル(230)はプロパティテーブルのデータ構成(図１２)のように構成される。クラスラベル（12-1)は該当プロパティがどのクラスラベルに関するものかを示す。プロパティラベル（12-2)は該当プロパティ自身のプロパティラベル名称を示す。
【００５６】
部品構成情報の表示画面(図６)のプロパティ欄には左側からプロパティ欄”A”、”B”、”C”、・・・を表示し、プロパティ欄”A”にはクラスツリーの全体表示構成の一番上に表示される部品登録情報(先頭)のクラスラベル（12-1）を持つプロパティラベル（12-2）を表示する。
【００５７】
プロパティテーブルのクラスラベル（12-1）に部品登録情報(先頭)が複数含まれていた場合には、プロパティ欄”B”、”C”、・・・に表示する。同様に、クラスツリーの全体表示構成の全てのクラスに関してプロパティテーブルよりプロパティラベルを得て、部品構成情報の表示画面(図６)のプロパティ欄に表示する。この際、各プロパティ欄には選択ボタンを持ち該当プロパティの選択を可能とする。
【００５８】
プロパティ欄とクラスツリーの各項目からなるマトリックス部分には、その表示されているクラスがそのプロパティ情報をプロパティテーブル(230)に持っていれば”△”を、さもなければそのプロパティ情報を持たないことを示す”null(空白)”を表示する。
【００５９】
クラスツリーの展開操作に応じてプロパティ欄も再作成表示を行う（3-5)。例えば、表示するプロパティ欄はクラスツリーで表示展開されたクラスに係わるプロパティのみをプロパティ欄に表示をして、他のプロパティはプロパティ欄に表示しない。
【００６０】
同様に例えば、プロパティ欄の選択ボタンの初期選択状態としては全てを表す”A”欄を選択しておく。言い換えれば、初期画面としては、プロパティ欄のＡにレが付いている。
【００６１】
ユーザは表示された部品構成情報の表示画面(図６)に対して、化学物質含有率算出部(310)が化学物質含有率を推定の際に活用する類似部品の範囲をクラスツリーとプロパティ欄の選択ボタンで指示をする（3-6)。
【００６２】
この際に”△”表示のあるクラスツリーが選択ボタンで選択された場合には、クラスを選択されていることを示す”○”を、さらに”○”表示のあるプロパティがプロパティ欄の選択ボタンで選択された場合にはプロパティを選択されて(絞り込まれて)いることを示す”◎”を表示する。
【００６３】
クラスの選択においては選択されたクラスに含まれる全ての部品を活用し、プロパティの選択においては選択されたプロパティと同じプロパティ属性を持つ部品のみを活用し、化学物質含有率を推定することを想定している。
【００６４】
化学物質含有率算出部(310)はユーザよりクラスツリーの選択ボタンでの指示によりクラスの組み合わせを決定する（3-7)。
【００６５】
クラスの組み合わせは、一つ目のクラスの組み合わせとして、ユーザが推定指示をした部品と同一の最下位クラス、ここでは固定電解コンデンサの階層レベル”4”、を選択し、二つ目のクラスの組み合わせとして、固定電解コンデンサの一つ上の階層レベルのクラス、ここでは固定コンデンサの階層レベル”3”、を選択する。最下位クラス以外では選択されたクラス配下の選択ボタンで選択されている全てのクラスも含む選択とする。この様に階層レベルを一つずつ上にたどってゆく操作を実施する。
【００６６】
この操作をクラスツリーの選択ボタンで選択されている範囲で実施する。このクラスの組み合わせを実施することにより狭い範囲から始まり、だんだん広い範囲のクラスを選択することが可能となる。
【００６７】
化学物質含有率算出部(310)はユーザよりプロパティ欄の選択ボタンでの指示によりプロパティの組み合わせを決定する（3-8)。
【００６８】
プロパティの組み合わせは、一つ目のプロパティの組み合わせとして、プロパティ欄の”A全て”のみを組み合わせたものとする、二つ目のプロパティの組み合わせとして、”A全て”と次にプロパティ欄の選択ボタンで選択されているプロパティ、ここでは”Bメーカ名”、を加えた”A全て”と”Bメーカ名”、三つ目は次にプロパティ欄の選択ボタンで選択されているプロパティ、ここでは”G温度特性”、をさらに加えた”A全て”と”Bメーカ名”と”G温度特性”、を順次含めてゆく組み合わせを全て選択ボタンで選択されているプロパティが含まれるまで組み合わせを作成する。
【００６９】
このプロパティの組み合わせを実施することにより広い範囲から始まり、だんだん狭い範囲のクラスを選択することが可能となる。得られた、クラスの組み合わせとプロパティの組み合わせより、図７に示す2次元のマトリックスを作成する（3-9）。
【００７０】
図７は選択部品の化学物質含有率分布の表示画面の例であり、図６にあるクラスの組み合わせとしては、”４〜”、ここでは固定電解コンデンサのみ、と”３〜”、ここでは固定コンデンサ配下の固定電解コンデンサと固定磁器コンデンサ、の二つのクラスの組み合わせが存在する。図６にあるプロパティの組み合わせとしては、”〜A”、ここでは”全て”、と”〜B”、ここでは”全てANDメーカ名”、と”〜G”、ここでは”全てANDメーカ名AND温度特性”、の三つのプロパティの組み合わせが、存在する。従って合計6つの組み合わせが存在する。この6つの組み合わせ全てに対し化学物質含有率算出部(310)は化学物質含有率をそれぞれ推定する。
【００７１】
図７に示すマトリックスの一つに対し、クラスの組み合わせ情報と合致する部品全てを部品登録テーブル(240)より抽出し、さらにプロパティの組み合わせ情報で指定されたプロパティのデータが推定対象の部品が持つプロパティのデータと合致するものに絞り込む。
【００７２】
絞り込む際の処理としては、推定対象の部品が持つ全てのプロパティ、例えば推定対象の部品が固定磁器コンデンサの場合は固定磁器コンデンサ登録テーブルのデータ構成(図１３)にある部品メーカ名（13-1)、部品型番（13-2)、シリーズ名称（13-3)、定格電圧（13-4)、定格静電容量（13-5)、温度特性（13-6)、許容誤差（13-7)、の中からプロパティ欄の選択ボタンで選択されたプロパティ情報それぞれが推定対象の部品のそれぞれのプロパティ情報と一致するものを抽出することにより絞り込む。
【００７３】
同様に固定電解コンデンサの場合には固定電解コンデンサ登録テーブルのデータ構成(図１４)により絞り込む。
【００７４】
絞り込まれた全ての部品に関して含有化学物質登録テーブル(250)より部品質量（15-3)と化学物質量、ここでは物質A（15-4)、を抽出し化学物質含有率を算出する（3-10)。
【００７５】
得られた各部品の化学物質含有率を母集団として、有効データ数、最小、平均、ピーク、最大、標準偏差を統計手法により得、選択部品の化学物質含有率分布の表示画面(図７)の該当箇所に横軸を化学物質含有率、縦軸を部品の出現頻度とした分布図を表示する（3-11）。
【００７６】
これを図７に示す全マトリックスに対して実施する（3-12）。例えば、図７に示すプロパティＧ、クラス４の組み合わせが最も絞り込まれた組み合わせであるので、推定値としては最も適切な場合が多い。しかし、最も絞り込まれた組み合わせは、特別な条件にかたよっている場合があるので、図７に示すような他の組み合わせも参考にして、ユーザが最も適切と考えるデータを採用することが出来る。
【００７７】
この際に例えば部品構成情報の表示画面(図６)と選択部品の化学物質含有率分布の表示画面(図７)を同一画面に表示し、部品構成情報の表示画面(図６)への操作に応じて選択部品の化学物質含有率分布の表示画面(図７)が連動して変化することによりユーザ操作の効率が向上する。
【００７８】
ユーザは選択部品の化学物質含有率分布の表示画面(図７)に表示された分布図の一つをラジオボタンで選択する（3-13）。この際に、システムでは、例えばラジオボタンの選択は標準偏差が最小のものを初期選択としておく。
【００７９】
ユーザが図７における「詳細情報表示」ボタンを押すと、システムは、ユーザから選択指示された図７に示すマトリックスの一つに関する詳細情報を図８のように表示する（3-14）。
【００８０】
図８は選択部品詳細情報表示画面の例であり、ユーザの指定した推定対象の部品メーカ、部品型番、化学物質と、ユーザが選択したクラスの組み合わせ、プロパティの組み合わせと、化学物質分布図と、対象部品数(有効データ数)、最小、平均、ピーク、最大、カスタム、標準偏差を表示する。なお、カスタムは、ユーザーが任意に数値を設定出来るという意味である。
【００８１】
ユーザは最小、平均、ピーク、最大、カスタムのラジオボタンにより含有率の推定を指示する（3-15）。この際に、システムにおいて、例えばラジオボタンの選択は平均を初期選択としておく。
【００８２】
指示された部品の化学物質含有率を部品質量データとの計算により、データなし部品の一覧表示画面(図５)の該当部品の推定化学物質量（5-19）として表示する（3-17）。この際、図１６における作業登録テーブル(260)の該当部品の推定（16-7)を”YES”とし、化学物質量（16-5)、化学物質含有率（16-6)、推定方法（16-8)、標準偏差（16-9)を格納する。
【００８３】
得られた化学物質量（16-5)をデータなし部品の一覧表示画面(図５)の推定化学物質量（5-9)に表示する。同様にデータなし部品の一覧表示画面(図５)に表示された全てのデータなし部品に関して上記一連の推定処理指示を実施する（3-17)。
【００８４】
このように得られた推定化学物質量と既に入手済みのデータを使い製品全体の化学物質含有率を算出し（2-15)、作業登録テーブル(260)を指定製品全体情報表示画面(図９)のように表示する（2-16）。
【００８５】
以上説明したように、本発明によって特定の化学物質のデータが全部品について入手できていなくとも、過去の類似データを利用して精度良く特定の化学物質の量を推定することが出来るので、本発明を例えば設計のフェーズで適用すれば情報のない部品も精度良く補完することが可能となり、設計・出荷準備を進めることが出来、製品の納期遅れ等を回避することが出来る。
【符号の説明】
【００８６】
１０  入力部
２０  記憶部
２１０  製品BOMテーブル
２２０  クラステーブル
２３０  プロパティテーブル
２４０  部品登録テーブル
２５０  含有化学物質登録テーブル
２６０  作業登録テーブル
３０  処理部
３１０  化学物質含有率算出部
４０  出力部。
【図１】
2010262574.tif 000003
【図２】
2010262574.tif 000004
【図３】
2010262574.tif 000005
【図４】
2010262574.tif 000006
【図５】
2010262574.tif 000007
【図６】
2010262574.tif 000008
【図７】
2010262574.tif 000009
【図８】
2010262574.tif 000010
【図９】
2010262574.tif 000011
【図１０】
2010262574.tif 000012
【図１１】
2010262574.tif 000013
【図１２】
2010262574.tif 000014
【図１３】
2010262574.tif 000015
【図１４】
2010262574.tif 000016
【図１５】
2010262574.tif 000017
【図１６】
2010262574.tif 000018